(57)【特許請求の範囲】
【請求項１】
医用検査データを保存する保存部と、
前記医用検査データを着脱可能な記録媒体に記録する記録部と、
前記記録媒体に対して編集禁止処理を施す編集禁止処理部と、
前記編集禁止処理が施された前記記録媒体に記録済の前記医用検査データには記録済かつ編集禁止処理済を表す記録情報を対応付けて記憶すると共に、前記編集禁止処理が施されていない前記記録媒体に記録済の前記医用検査データには記録済を表す記録情報を対応付けて記憶する記録情報記憶部と、
前記記録媒体が装填または接続された場合に、前記記録媒体に前記編集禁止処理が施されているか否かの判定を実行すると共に、前記記録媒体に記録された前記医用検査データと、前記保存部に保存中の前記医用検査データとで互いに一致するデータがあるか否かの照合を実行する判定部とを備え、
前記記録情報記憶部は、前記判定部による照合の結果として一致する前記医用検査データがある場合に、記憶している前記記録情報を前記判定の結果に基づいて更新することを特徴とする医用検査データ保管装置。
【請求項２】
請求項１記載の医用検査データ保管装置において、
前記記録情報記憶部は、前記記録媒体に記録されていない前記医用検査データには未記録を表す記録情報を対応付けて記憶することを特徴とする医用検査データ保管装置。
【請求項３】
請求項２記載の医用検査データ保管装置において、
前記判定部は、前記記録媒体が装填または接続された場合に、装填または接続された前記記録媒体が編集禁止処理済の状態から編集可能状態に戻せる型式であるか否かの判定を実行し、
前記記録情報記憶部は、編集禁止処理済の状態から編集可能状態に戻せない型式であって前記編集禁止処理が施された前記記録媒体に記録済の前記医用検査データには記録済かつ完全編集禁止処理済を表す記録情報を対応付けて記憶すると共に、編集禁止処理済の状態から編集可能状態に戻せる型式であって前記編集禁止処理が施された前記記録媒体に記録済の前記医用検査データには記録済かつ暫定編集禁止処理済を表す記録情報を対応付けて記憶することで、前記記録済かつ編集禁止処理済を表す記録情報を２段階に分けることを特徴とする医用検査データ保管装置。
【請求項４】
請求項２記載の医用検査データ保管装置において、
前記保存部は、前記医用検査データをファイルとして保存し、
前記記録情報記憶部は、前記判定の結果に基づいて前記記録情報が前記記録済かつ編集禁止処理済に更新された前記医用検査データのファイルのプロパティを、読み取り専用にすることを特徴とする医用検査データ保管装置。
【請求項５】
請求項２記載の医用検査データ保管装置において、
前記保存部は、前記医用検査データをファイルとして保存し、
前記記録情報記憶部は、前記判定の結果に基づいて前記記録情報が前記記録済かつ編集禁止処理済に更新された前記医用検査データのファイルが、前記保存部において上書き保存された場合に、当該上書き保存された医用検査データのファイルの前記記録情報を未記録に戻すことを特徴とする医用検査データ保管装置。
【請求項６】
請求項４または請求項５記載の医用検査データ保管装置において、
前記判定部は、前記記録媒体が装填または接続された場合に、装填または接続された前記記録媒体の空き容量が１ファイルの平均データ量よりも少ないか否かを判定し、
前記編集禁止処理部は、前記空き容量が前記平均データ量よりも少ないと前記判定部により判定された場合に、前記記録媒体に対して前記編集禁止処理を施す
ことを特徴とする医用検査データ保管装置。
【請求項７】
少なくとも１つの医用診断装置に接続される通信部と、
着脱可能な記録媒体に記録された医用検査データの内容を表示する表示部と、
前記表示部の表示に基づいて編集禁止処理が選択された場合に、前記記録媒体に対して前記編集禁止処理を施す編集禁止処理部と、
前記編集禁止処理部により前記編集禁止処理が施された場合に、前記記録媒体に記録されている前記医用検査データと同一の前記医用検査データが保存されている前記医用診断装置を検索し、検索された前記医用診断装置に対し、前記通信部を介して、前記同一の医用検査データが記録された前記記録媒体に前記編集禁止処理が施されたことを示す情報を送信する情報送信部と
を備えることを特徴とする医用検査データ表示装置。
【発明の詳細な説明】
【技術分野】
【０００１】
本発明の実施形態は、医用検査データ保管装置、および、医用検査データ表示装置に関する。また、本発明の実施形態は、医用診断装置などのモダリティにより生成された医用検査データ等のデータを（例えばファイルとして）記録媒体に記録し、当該データの消失を防止するための技術に関する。
【背景技術】
【０００２】
一般にＸ線ＣＴ装置などの医用診断装置は、当該医用診断装置内に保存されている検査データのファイルを記録媒体に記録する機能と（例えば特許文献１参照）、この検査データのファイルを一覧表示する機能とを有する。検査データのファイルがリスト表示される際、記録媒体にアーカイブ済（記録済、即ち、複製済）のファイルに対しては、例えばアーカイブ済のマークが併せて表示される。
【０００３】
なお、ここでの「記録媒体」とは、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）などのように着脱可能なものを指し、医用診断装置などの装置内に固定された不揮発性の記憶部は「内蔵型記憶装置」として区別する。
【０００４】
医用診断装置の検査結果として生成される検査データのファイルは、一旦は当該医用診断装置の内蔵型記憶装置に保存されるが、内蔵型記憶装置の記憶容量には限度がある。従って、医用診断装置内の検査データのファイルは、上記のように記録媒体にアーカイブ済であることが確認された後、いずれは当該医用診断装置から削除される。
【０００５】
Ｘ線ＣＴ装置やＭＲＩ装置などを用いた検査で生成される診断画像データのファイルは、患者が被曝、或いは、造影剤注入を受けるなどの負担を患者に与えて作成されたものである。このようなファイルは、誤って消失すると再作成は困難であるため、十分注意して取り扱うことが望まれる。そこで従来は、一検査分をまとめて記録媒体に記録する、或いは、一定量をまとめて記録媒体に記録することで、一度記録がなされた記録媒体に対しては追記をしないという運用が行われていた。これは、追記の際には当該記録媒体におけるファイルの管理情報を書き換えるため、追記中に停電などの事故が発生すると、既に当該記録媒体に記録済のファイルを消失するおそれがあるからである。
【先行技術文献】
【特許文献】
【０００６】
【特許文献１】特開２００８−２６９１６７号公報
【発明の概要】
【発明が解決しようとする課題】
【０００７】
近年、ＤＶＤやＢＤなどの大容量の記憶媒体が登場した。このような大容量の記憶媒体では、一検査分のファイルを記録しただけでは、当該記録媒体の記憶容量の残量が大きく、当該記録媒体の記録容量を十分に活かせない。また、医用診断装置内において記録媒体の記憶容量に相当する程度の容量のファイル数がたまってから、一度に当該記録媒体に記録する場合、一度の書き込み量が多く、データのバックアップ作業を例えば空き時間などの都合のよい時間内に完了できない。
【０００８】
このため、追記中に事故が発生した場合には既に記録媒体に記録済のファイルを消失するおそれがあるにも拘らず、当該記録媒体に対して何度かに分けて追記をする運用が多くなってきた。この場合、当該記録媒体の記憶容量が一杯になるまで追記をしてから、当該記録媒体にアーカイブ済の検査データのファイルを医用診断装置から削除している。
【０００９】
しかし、追記作業の前に当該記録媒体に記録済の検査データのファイルについては、医用診断装置においてアーカイブ済のマークが付されているため、アーカイブ済として、当該医用診断装置から削除されている可能性がある。そうすると、当該記録媒体への再度の追記中に事故が発生した場合、アーカイブ済として当該医用診断装置から削除された検査データのファイルを完全消失してしまう。従って、アーカイブ済のマークの信頼性が低下していたため、ＤＶＤやＢＤなどの大容量の記録媒体の記録容量を活かしつつ、例えばファイルとして記録されている医用検査データ等のデータの完全消失を防止する技術が要望されていた。
【００１０】
本発明は、上記課題を鑑みてなされてものであり、記録媒体の記録容量を活かしつつ、医用診断装置などのモダリティにより生成された医用検査データ等のデータの完全消失を防止するための技術を提供することを目的とする。
【課題を解決するための手段】
【００１１】
一実施形態では、医用検査データ保管装置は、保存部と、記録部と、編集禁止処理部と、記録情報記憶部と、判定部とを有する。
保存部は、医用検査データを保存する。
記録部は、医用検査データを着脱可能な記録媒体に記録する。
編集禁止処理部は、記録媒体に対して編集禁止処理を施す。
記録情報記憶部は、編集禁止処理が施された記録媒体に記録済の医用検査データには記録済かつ編集禁止処理済を表す記録情報を対応付けて記憶すると共に、編集禁止処理が施されていない記録媒体に記録済の医用検査データには記録済を表す記録情報を対応付けて記憶する。
判定部は、記録媒体が装填または接続された場合に、記録媒体に編集禁止処理が施されているか否かの判定を実行すると共に、記録媒体に記録された医用検査データと、保存部に保存中の医用検査データとで互いに一致するデータがあるか否かの照合を実行する。
さらに、記録情報記憶部は、判定部による照合の結果として一致する医用検査データがある場合に、記憶している記録情報を判定の結果に基づいて更新する。
【００１２】
別の一実施形態では、医用検査データ表示装置は、通信部と、表示部と、編集禁止処理部と、情報送信部とを有する。
通信部は、少なくとも１つの医用診断装置に接続される。
表示部は、着脱可能な記録媒体に記録された医用検査データの内容を表示する。
編集禁止処理部は、表示部の表示に基づいて編集禁止処理が選択された場合に、記録媒体に対して編集禁止処理を施す。
情報送信部は、編集禁止処理部により編集禁止処理が施された場合に、記録媒体に記録されている医用検査データと同一の医用検査データが保存されている医用診断装置を検索し、検索された医用診断装置に対し、通信部を介して、同一の医用検査データが記録された記録媒体に編集禁止処理が施されたことを示す情報を送信するする。
【発明の効果】
【００１５】
本発明によれば、記録媒体の記録容量を活かしつつ、医用診断装置などのモダリティにより生成された医用検査データ等のデータの完全消失を防止しうる。
【図面の簡単な説明】
【００１６】
【図１】本実施形態の医用診断装置ネットワークの全体構成を示すブロック図。
【図２】医用診断装置における医用画像データのファイルの記録処理の流れを示すフローチャート。
【図３】医用診断装置に記録媒体が装填された場合のバックアップ情報の更新処理の流れを示すフローチャート。
【図４】画像表示装置において編集禁止処理が行われる場合の医用診断装置ネットワークの処理の流れを示すフローチャート。
【発明を実施するための形態】
【００１７】
以下、本発明の実施形態を添付図面に基づいて説明する。
【００１８】
＜本実施形態の構成＞
図１は、本実施形態の医用診断装置ネットワーク１０の全体構成を示すブロック図である。図１に示すように、医用診断装置ネットワーク１０は、モダリティとしてのＭＲＩ装置（Ｍａｇｎｅｔｉｃ  Ｒｅｓｏｎａｎｃｅ  Ｉｍａｇｉｎｇ  Ａｐｐａｒａｔｕｓ）２０と、Ｘ線ＣＴ装置（Ｘ−ｒａｙ  Ｃｏｍｐｕｔｅｄ  Ｔｏｍｏｇｒａｐｈｙ  Ａｐｐａｒａｔｕｓ）５０と、画像表示装置（Ｖｉｅｗｅｒ：ビューワ）８０とをネットワークケーブル１００により互いに接続した構成である。
【００１９】
なお、実際には例えば多数の医用診断装置および多数の画像表示装置がネットワークケーブル１００を介して互いに接続される。図１では本実施形態の要点を分かり易く説明するために煩雑化を避け、医用診断装置としてＭＲＩ装置２０およびＸ線ＣＴ装置５０の２つのみを示し、画像表示装置としては画像表示装置８０の１つのみを示した。
【００２０】
ＭＲＩ装置２０は、ＣＰＵ２２と、入力装置２４と、ＭＲＩ撮影機構２６と、システムバス２８と、１次記憶メモリ３０と、内蔵型記憶装置３２と、記録媒体用ドライブ３４と、モニタ３６と、通信部３８とを備える。
【００２１】
ＭＲＩ撮影機構２６は、ＣＰＵ２２の制御に従って磁気共鳴イメージングに基づく撮影を行い、これにより生成された診断画像データのファイルを内蔵型記憶装置３２に保存する。本実施形態での診断画像データのファイルは、画像データや付帯情報などから構成される。この付帯情報には、患者名、検査ＩＤ、検査日、診断部位などの撮影条件に加え、当該ファイルのバックアップ情報が含まれる。
【００２２】
本実施形態では一例として、「未記録」、「記録済」、「記録済かつ編集禁止処理済」のいずれかの情報と、（「未記録」の場合を除いて）そのファイルが記録された記録媒体のＩＤ（Ｉｄｅｎｔｉｔｙ：識別情報）とがバックアップ情報として記録される。「未記録」は、そのファイルが記録媒体にアーカイブ（複製、即ち、バックアップ）されていないことを示す。また、「記録済」は、そのファイルが記録媒体にアーカイブ済であることを示す。また、「記録済かつ編集禁止処理済」は、そのファイルが記録媒体にアーカイブ済であり、かつ、そのファイルが記録された記録媒体に対して編集禁止処理が施されていることを示す。
【００２３】
また、アーカイブには、ファイルを個別に記録媒体などに複製して記録する場合と、複数ファイルを１つにまとめて記録媒体などに複製して記録する場合があるが、本実施形態では一例として前者の場合について説明する。但し、本発明はかかる実施形態に限定されるものではなく、複数ファイルを１つにまとめて記録媒体などに複製して記録する構成としてもよい。
【００２４】
記録媒体用ドライブ３４には、例えばＤＶＤやＢＤなどの記録媒体が着脱可能に装填または接続される。記録媒体用ドライブ３４は、装填された記録媒体に記録されているファイルの情報を読み取り、ＣＰＵ２２に伝達する。また、記録媒体用ドライブ３４は、ＣＰＵ２２の指令に従って、装填された記録媒体に固有の編集禁止処理を当該記録媒体に施す。ここでの固有の編集禁止処理とは、例えばＤＶＤでは「ファイナライズ」、ＢＤでは「クローズ」と呼ばれるものである。
【００２５】
通信部３８は、記録媒体用ドライブ３４によって、ある記録媒体に編集禁止処理が施された場合、その情報を他の医用診断装置（図１の例ではＸ線ＣＴ装置５０）に送信し、編集禁止処理済の情報を共有させる。
【００２６】
ＣＰＵ２２は、システムバス２８を介してＭＲＩ装置２０全体のシステム制御を行う。また、ＣＰＵ２２は、内蔵型記憶装置３２に保存されている全ファイルの情報を示すファイル（以下、「一覧ファイル」という）を作成し、この一覧ファイルを内蔵型記憶装置３２に保存する。
【００２７】
１次記憶メモリ３０は、ＣＰＵ２２が各処理や演算を行う際に一時的にデータ等を記憶するものである。
【００２８】
モニタ３６は、ＣＰＵ２２の制御に従って、記録媒体用ドライブ３４に装填された記録媒体に記録されている医用検査データのファイルや、ＭＲＩ撮影機構２６により生成された診断画像データのファイルを例えば画像として表示する。また、モニタ３６は、ＣＰＵ２２の制御に従って、内蔵型記憶装置３２に保存されている全ファイルを一覧表示する。この際、例えば、一覧ファイルが用いられる。
【００２９】
入力装置２４は、ユーザの操作を受け付けるものであり、例えば、モニタ３６に表示された一覧ファイルのいずれかを選択する場合等に用いられる。
【００３０】
Ｘ線ＣＴ装置５０は、ＣＰＵ５２と、入力装置５４と、Ｘ線ＣＴ撮影機構５６と、システムバス５８と、１次記憶メモリ６０と、内蔵型記憶装置６２と、記録媒体用ドライブ６４と、モニタ６６と、通信部６８とを備える。
【００３１】
Ｘ線ＣＴ撮影機構５６は、被検体にＸ線を照射して撮影を行い、被検体Ｐを透過したＸ線を検出して、投影データに所定の処理を施し、３次元の診断画像データのファイルを生成する。また、Ｘ線ＣＴ撮影機構５６は、この診断画像データのファイルを内蔵型記憶装置６２に保存する。
【００３２】
上記のＸ線ＣＴ撮影機構５６とＭＲＩ撮影機構２６との違いを除き、Ｘ線ＣＴ撮影機構５６におけるＣＰＵ５２、入力装置５４、システムバス５８、１次記憶メモリ６０、内蔵型記憶装置６２、記録媒体用ドライブ６４、モニタ６６、通信部６８の各機能は、ＭＲＩ装置２０におけるＣＰＵ２２、入力装置２４、システムバス２８、１次記憶メモリ３０、内蔵型記憶装置３２、記録媒体用ドライブ３４、モニタ３６、通信部３８とそれぞれ同様である。
【００３３】
画像表示装置８０は、ＣＰＵ８２と、入力装置８４と、通信部８６と、モニタ８８と、システムバス９０と、１次記憶メモリ９２と、記録媒体用ドライブ９４とを備える。
【００３４】
ＣＰＵ８２は、システムバス９０を介して画像表示装置８０のシステム制御を行う。
【００３５】
１次記憶メモリ９２は、ＣＰＵ８２が各処理や演算を行う際に一時的にデータ等を記憶するものである。
【００３６】
モニタ８８は、ＣＰＵ８２の制御に従って、ファイルを例えば画像として表示する。ここで表示されるファイルは、記録媒体用ドライブ９４に装填された記録媒体中のファイルや、ネットワークケーブル１００、通信部８６を介して医用診断装置（ＭＲＩ装置２０またはＸ線ＣＴ装置５０）から送信される診断画像データのファイル等である。
【００３７】
入力装置８４は、ユーザの操作を受け付けるものであり、例えば、モニタ８８に表示されたファイルを選択する場合や、表示画像の特定部位にマークを付けるといった画像処理の操作に用いられる。
【００３８】
以上の構成において、ＭＲＩ装置２０およびＸ線ＣＴ装置５０は、医用検査データ保管装置として機能すると共に、ファイル管理装置としても機能する。また、画像表示装置８０は医用検査データ表示装置として機能する。
【００３９】
＜本実施形態の動作説明＞
図２は、ＭＲＩ装置２０における診断画像データのファイルの記録処理の流れを示すフローチャートである。以下、適宜図１を参照しながら、図２に示すフローチャートのステップ番号に従ってファイルの記録処理の流れを説明する。
【００４０】
［ステップＳ１］ＭＲＩ装置２０のＣＰＵ２２（図１参照）は、予め作成して内蔵型記憶装置３２に保存されている一覧ファイルに基づいて、内蔵型記憶装置３２に保存されているファイルの一覧をモニタ３６上に表示させる。この一覧表示において、各ファイルには、「未記録」、「記録済」、「記録済かつ編集禁止処理済」のいずれかがバックアップ情報として表示される。この後、ＣＰＵ２２は、ステップＳ２に処理を移行する。
【００４１】
［ステップＳ２］モニタ３６上に表示されているファイルの一覧の中から、入力装置２４を介して、記録媒体に記録するファイルが選択される。この後、ＣＰＵ２２は、ステップＳ３に処理を移行する。
【００４２】
［ステップＳ３］記録媒体用ドライブ３４に記録媒体（図示せず）が装填されている場合、記録媒体用ドライブ３４は、ＣＰＵ２２の制御に従ってステップＳ３で選択されたファイルをその記録媒体に記録する。なお、記録媒体用ドライブ３４に記録媒体が装填されていない場合、ＣＰＵ２２は、記録媒体の装填を促す表示をモニタ３６に表示させ、記録媒体が記録媒体用ドライブ３４に装填されるまで待機する。そして、記録媒体が装填後に上記の記録処理を行う。この後、ＣＰＵ２２は、ステップＳ４に処理を移行する。
【００４３】
［ステップＳ４］ＣＰＵ２２は、記録媒体用ドライブ３４を制御して、ステップＳ３における記録処理が正常に行われたか否か（記録に成功したか否か）を判定する。記録処理が正常に行われた場合、ＣＰＵ２２はステップＳ６に処理を移行する。記録処理が正常に行われなかった場合、ＣＰＵ２２は、記録処理が正常に行われなかった旨をモニタ３６上に表示させてユーザに通知した後、ステップＳ５に処理を移行する。
【００４４】
［ステップＳ５］ＣＰＵ２２は、一覧ファイルにおけるステップＳ２で選択されたファイルのバックアップ情報の部分について「未記録」の状態を維持する。この後、ＣＰＵ２２は、ファイルの記録処理を終了するか、或いは、ステップＳ３に戻ってファイルの記録処理を再実行する。
【００４５】
なお、ファイルのバックアップ情報の記録および更新（上書きによる記録）方法としては、上記の一覧ファイルを用いる方法の他に例えば以下の３つの方法があり、いずれの方法を用いてもよい（後述のステップＳ６、Ｓ８、Ｓ１１、Ｓ１２、Ｓ２７、Ｓ２８、Ｓ３０、Ｓ３１、Ｓ４３についても同様）。
【００４６】
第１に、ステップＳ２で選択されたファイルにおけるヘッダ等の付帯情報部分にバックアップ情報を記録する方法である。この場合、ファイルの付帯情報にバックアップ情報が含まれていなければ、バックアップ情報を追加し、ファイルの付帯情報にバックアップ情報が既に含まれていれば、そのバックアップ情報を上書きして最新のものにする。
【００４７】
第２に、内蔵型記憶装置３２における、ステップＳ２で選択されたファイルを含むフォルダに対し、バックアップ情報を記録する方法である。この場合、フォルダにバックアップ情報が含まれていなければ、フォルダにバックアップ情報を追加し、フォルダにバックアップ情報が既に含まれていれば、そのバックアップ情報を上書きして最新のものにする。
【００４８】
第３に、内蔵型記憶装置３２における各フォルダ内にそのフォルダ内の全ファイルの管理情報のファイルを予め作成して入れておき、その管理情報のファイルにおける、ステップＳ２で選択されたファイルのバックアップ情報の部分を更新する方法である。
【００４９】
［ステップＳ６］ＣＰＵ２２は、ステップＳ２で選択されたファイルのバックアップ情報を「記録済」に更新すると共に、記録した記録媒体のＩＤをバックアップ情報の一部として追加する。この後、ＣＰＵ２２はステップＳ７に処理を移行する。
【００５０】
［ステップＳ７］ＣＰＵ２２は、記録媒体用ドライブ３４を制御して、記録媒体の記憶容量に十分な空き容量があるか否かを判定する。ここでの「十分な空き容量がある」とは、記録媒体の記憶容量を有効活用するという観点から決めることが好ましい。例えば、１度の書込みの平均データ量（この例では１ファイルの平均データ量）よりも記憶残量が少ない場合、「十分な空き容量がない」と判定し、それ以外の場合、「十分な空き容量がある」と判定すればよい。或いは、記録媒体の記憶容量の例えば５％以上が空き容量として残っている場合に「十分な空き容量がある」と判定してもよい。十分な空き容量がある場合、ＣＰＵ２２はステップＳ８に処理を移行し、十分な空き容量がない場合、ＣＰＵ２２はステップＳ９に処理を移行する。
【００５１】
なお、選択画面をモニタ３６に表示し、編集禁止処理を行うか否かを入力装置２４を介してユーザに選択させ、編集禁止処理を行う場合にはステップＳ９に処理を移行し、それ以外の場合はステップＳ８に処理を移行する構成としてもよい。
【００５２】
［ステップＳ８］ＣＰＵ２２は、ステップＳ２で選択されたファイルのバックアップ情報を「記録済」で維持し、ファイルの記録処理を終了する。
【００５３】
［ステップＳ９］記録媒体用ドライブ３４は、ＣＰＵ２２の制御に従って、装填されている記録媒体に対して、その記録媒体に固有の編集禁止処理を施す。この後、ＣＰＵ２２はステップＳ１０に処理を移行する。
【００５４】
［ステップＳ１０］ＣＰＵ２２は、記録媒体用ドライブ３４を制御して、ステップＳ９における編集禁止処理が正常に行われたか否か（成功したか否か）を判定する。編集禁止処理が正常に行われた場合、ＣＰＵ２２はステップＳ１１に処理を移行する。編集禁止処理が正常に行われなかった場合、ＣＰＵ２２は、編集禁止処理が正常に行われなかった旨をモニタ３６上に表示させてユーザに通知した後、ステップＳ１２に処理を移行する。
【００５５】
［ステップＳ１１］ＣＰＵ２２は、ステップＳ２で選択されたファイルのバックアップ情報を「記録済かつ編集禁止処理済」に更新する。このようにバックアップ情報が「記録済かつ編集禁止処理済」とされたファイルの取り扱いとしては、以下の２つが挙げられるが、いずれの取り扱いとしてもよい。
【００５６】
第１に、当該ファイルのプロパティを「読み取り専用ファイル」にする等により、内蔵型記憶装置３２内に保存されている当該ファイルを編集不可の状態にするものである。この場合、内蔵型記憶装置３２内に保存されている当該ファイルと、記録媒体にアーカイブ済の当該ファイルとの同一性が失われるおそれはない。従って、両者の同一性を確実に維持したい場合には、この取り扱いとすればよい。
【００５７】
第２に、内蔵型記憶装置３２内に保存されている当該ファイルを編集可能な状態にしておく（「読み取り専用ファイル」にはしない）方法である。この場合、内蔵型記憶装置３２内のファイルに対して、コメント追記や輝度調整などの上書きがされてから保存されると、記録媒体にアーカイブしたファイルとの同一性が失われる。従って、内蔵型記憶装置３２内のファイルが上書き保存された場合、当該ファイルのバックアップ情報を「記録済かつ編集禁止処理済」から「未記録」に戻すようにしてもよい。
【００５８】
この後、ＣＰＵ２２は、当該記録媒体のＩＤと、当該記録媒体に編集禁止処理を施したことの情報とを通信部３８およびネットワークケーブル１００経由で他の医用診断装置（図１の例ではＸ線ＣＴ装置５０）に送信後、ファイルの記録処理を終了する。Ｘ線ＣＴ装置５０のＣＰＵ５２は、内蔵型記憶装置６２に保存中であって、バックアップ情報が「記録済」となっているファイルの中から、送信された記録媒体のＩＤと記録先が一致するファイルを検索する。この検索の際、各ファイルの付帯情報におけるバックアップ情報の部分を参照する。そして、ＣＰＵ５２は、検索により一致したファイルがあれば、そのバックアップ情報を「記録済かつ編集禁止処理済」に更新する。
【００５９】
［ステップＳ１２］ＣＰＵ２２は、ステップＳ２で選択されたファイルのバックアップ情報を「記録済」で維持する。この後、ＣＰＵ２２は、ステップＳ９に戻って編集禁止処理を再度試みるか、或いは、ファイルの記録処理を終了する。
【００６０】
以上がＭＲＩ装置２０における診断画像データのファイルの記録処理の説明である。なお、Ｘ線ＣＴ装置５０における診断画像データのファイルの記録処理の流れも上記のＭＲＩ装置２０の場合と同様であるため、重複する説明を省略する。
【００６１】
図３は、ＭＲＩ装置２０に記録媒体が装填された場合のバックアップ情報の更新処理の流れを示すフローチャートである。以下、適宜図１を参照しながら、図３に示すフローチャートのステップ番号に従ってバックアップ情報の更新処理の流れを説明する。
【００６２】
［ステップＳ２１］記録媒体用ドライブ３４（図１参照）は、装填された記録媒体の状態および型式を判定して、これをＣＰＵ２２に伝達する。ここでの「記録媒体の状態」とは、編集禁止処理が施されているか否かの状態である。また、「記録媒体の型式」は、ＤＶＤやＢＤといった記録媒体の種類に加えて、編集禁止処理が施された状態から再び編集可能な状態に戻せる型式の記録媒体であるか否かのことである。この後、ＣＰＵ２２は、ステップＳ２２に処理を移行する。
【００６３】
［ステップＳ２２］記録媒体用ドライブ３４は、記録媒体中に記録されている全ファイルのＩＤを読み込み、これをＣＰＵ２２に伝達する。この後、ＣＰＵ２２は、ステップＳ２３に処理を移行する。
【００６４】
［ステップＳ２３］ＣＰＵ２２は、記録媒体中に記録されている全ファイルのＩＤと、内蔵型記憶装置３２に保存されている全ファイルのＩＤとを照合する。この後、ＣＰＵ２２は、ステップＳ２２に処理を移行する。
【００６５】
［ステップＳ２４］ステップＳ２３での照合の結果、記録媒体中のファイルと、内蔵型記憶装置３２に保存されているファイルとで一致するファイルが存在する場合、ＣＰＵ２２はステップＳ２５に処理を移行し、それ以外の場合、ＣＰＵ２２はバックアップ情報の更新処理を終了する。
【００６６】
［ステップＳ２５］ステップＳ２１での判定において、編集禁止処理が施された状態から再び編集可能な状態に戻せる型式の記録媒体であった場合、ＣＰＵ２２はステップＳ２９に処理を移行し、編集禁止状態から編集可能な状態に戻せない型式の記録媒体であった場合、ＣＰＵ２２はステップＳ２６に処理を移行する。
【００６７】
［ステップＳ２６］このステップＳ２６（および次のステップＳ２７、Ｓ２８）に到達するのは、編集禁止処理済の状態から編集可能な状態に戻せない型式の記録媒体が装填されている場合である。ステップＳ２１での判定において、編集禁止処理済の記録媒体であった場合、ＣＰＵ２２はステップＳ２７に処理を移行し、編集禁止処理済ではない記録媒体であった場合、ＣＰＵ２２はステップＳ２８に処理を移行する。
【００６８】
［ステップＳ２７］ＣＰＵ２２は、ステップＳ２３での照合の結果、記録媒体中のファイルと一致する内蔵型記憶装置３２に保存中のファイルのバックアップ情報を「記録済かつ編集禁止処理済」に更新後、バックアップ情報の更新処理を終了する。なお、既に「記録済かつ編集禁止処理済」になっている場合、バックアップ情報の更新は行われない。
【００６９】
具体的には、ＭＲＩ装置２０により当該記録媒体に対してファイルのアーカイブと編集禁止処理が行われたような場合、既に「記録済かつ編集禁止処理済」にされていると考えられ、バックアップ情報の更新は行われない。一方、画像表示装置８０等により、ネットワークケーブル１００等を介してＭＲＩ装置２０の内蔵型記憶装置３２に保存中のファイルが（ステップＳ２１で装填された）記録媒体にアーカイブされた後、医用診断装置ネットワーク１０の外部の装置によって当該記録媒体に編集禁止処理が施されたような場合、このステップＳ２７において当該ファイルのバックアップ情報が更新される。
【００７０】
［ステップＳ２８］ＣＰＵ２２は、ステップＳ２３での照合の結果、記録媒体中のファイルと一致する内蔵型記憶装置３２に保存中のファイルのバックアップ情報を「記録済」に更新後、バックアップ情報の更新処理を終了する。なお、既に「記録済」になっている場合、バックアップ情報の更新は行われない。
【００７１】
［ステップＳ２９］このステップＳ２９（および次のステップＳ３０、Ｓ３１）に到達するのは、編集禁止処理が施された状態から再び編集可能な状態に戻せる型式の記録媒体が装填されている場合である。ステップＳ２１での判定において、記録媒体が編集禁止状態であった場合、ＣＰＵ２２はステップＳ３１に処理を移行し、記録媒体が編集可能な状態であった場合、ＣＰＵ２２はステップＳ３０に処理を移行する。
【００７２】
［ステップＳ３０］ＣＰＵ２２は、ステップＳ２３での照合の結果、記録媒体中のファイルと一致する内蔵型記憶装置３２に保存中のファイルのバックアップ情報を「記録済」に更新後、バックアップ情報の更新処理を終了する。なお、既に「記録済」になっている場合、バックアップ情報の更新は行われない。
【００７３】
具体的には、ＭＲＩ装置２０により当該記録媒体に対してファイルのアーカイブと編集禁止処理が行われたような場合、当該ファイルのバックアップ情報はＭＲＩ装置２０内において「記録済かつ編集禁止処理済」になっている。しかし、他の装置（画像表示装置８０）により当該記録媒体が編集可能な状態に戻されたような場合、このステップＳ３０において当該ファイルのバックアップ情報は「記録済かつ編集禁止処理済」から「記録済」に戻される。
【００７４】
［ステップＳ３１］ＣＰＵ２２は、ステップＳ２３での照合の結果、記録媒体中のファイルと一致する内蔵型記憶装置３２に保存中のファイルのバックアップ情報を「記録済かつ編集禁止処理済」に更新後、バックアップ情報の更新処理を終了する。なお、既に「記録済かつ編集禁止処理済」になっている場合、バックアップ情報の更新は行われない。
【００７５】
以上がＭＲＩ装置２０におけるバックアップ情報の更新処理の説明である。なお、Ｘ線ＣＴ装置５０におけるバックアップ情報の更新処理の流れも上記のＭＲＩ装置２０の場合と同様であるため、重複する説明を省略する。
【００７６】
図４は、画像表示装置８０において編集禁止処理が行われる場合の医用診断装置ネットワーク１０の処理の流れを示すフローチャートである。以下、適宜図１を参照しながら、図４に示すフローチャートのステップ番号に従って、画像表示装置８０での編集禁止処理に関わる動作の流れを説明する。
【００７７】
［ステップＳ４１］画像表示装置８０のＣＰＵ８２（図１参照）は、記録媒体用ドライブ９４を制御して、記録媒体用ドライブ９４に装填されている記録媒体に対して編集禁止処理を施す。ここで編集禁止処理が行われるのは、例えば、記録媒体中のファイルの情報がモニタ８８に表示され、この表示に基づいてユーザが入力装置８４を介して編集禁止処理を選択した場合などである。この後、ステップＳ４２に進む。
【００７８】
［ステップＳ４２］画像表示装置８０のＣＰＵ８２は、記録媒体中の全ファイルの付帯情報を分析して、それらがどの医用診断装置（ＭＲＩ装置２０またはＸ線ＣＴ装置５０）で生成および保存されているファイルであるかを検索する。
【００７９】
次に、ＣＰＵ８２は、記録媒体中のファイルと同一のファイルが保存されている医用診断装置に対し、通信部８４およびネットワークケーブル１００を介して、当該記録媒体のＩＤと、当該記録媒体に編集禁止処理を施したことの情報を送信する。例えば、記録媒体中の全ファイルがＭＲＩ装置２０により生成および保存されているものである場合、上記の情報送信はＭＲＩ装置２０に対してのみ行われる。記録媒体中にはＭＲＩ装置２０により生成および保存されているファイルと、Ｘ線ＣＴ装置５０により生成および保存されているファイルとが含まれる場合、上記の情報送信はＭＲＩ装置２０およびＸ線ＣＴ装置５０に対して行われる。
【００８０】
なお、記録媒体中のファイルと同一のファイルが保存されている医用診断装置に限定せずに、医用診断装置ネットワーク１０における他の全ての装置に対して、ＣＰＵ８２が上記の情報送信を行う構成としてもよい。
【００８１】
［ステップＳ４３］ＭＲＩ装置２０のＣＰＵ２２およびＸ線ＣＴ装置５０のＣＰＵ５２は、ステップＳ４２において画像表示装置８０のＣＰＵ８２から情報送信を受けた場合、以下の処理を行う。まず、内蔵型記憶装置３２（６２）に保存中であって、バックアップ情報が「記録済」となっているファイルの中から、上記の送信された記録媒体のＩＤと記録先が一致するファイルを検索する。この検索の際、各ファイルの付帯情報におけるバックアップ情報の部分を参照する。そして、ＣＰＵ２２（５２）は、検索したファイルのバックアップ情報を「記録済かつ編集禁止処理済」に更新する。  
以上が本実施形態の医用診断装置ネットワーク１０の動作説明である。
【００８２】
＜本実施形態と従来技術との違い＞
従来は、本実施形態のバックアップ情報に相当するものがアーカイブ済か否かの２段階であった。このため、アーカイブ済として医用診断装置から削除されているファイルについては、それが記録されている記録媒体への再度の追記中に事故が発生した場合、完全消失するおそれがあった。
【００８３】
これに対し本発明者は、医用診断装置からファイルを削除してもよいタイミングは、以下の２条件を満たしたときであることに着眼した。第１に、そのファイルを記録媒体に記録したことである。第２に、そのファイルが記録された記録媒体に対して編集禁止処理が施されている、即ち、その記録媒体に対し一切の記録処理を行うことができない状態になっていることである。これら２条件を満たせば、その記録媒体は読取専用になる以上、その記録媒体を破壊等によって物理的に消失しない限り、当該ファイルをその記録媒体からいつでも読み込める。即ち、医用診断装置から当該ファイルを削除してもよいタイミングとして、１つの判断目安になる。
【００８４】
そこで本実施形態では、「未記録」、「記録済」、「記録済かつ編集禁止処理済」の３段階のバックアップ情報により、ファイルのバックアップ情報を管理および表示（ステップＳ１参照）する。このため、ユーザは、「記録済かつ編集禁止処理済」と表示されているファイルについて、保存の確実性を知ることができ、ＭＲＩ装置２０またはＸ線ＣＴ装置５０から削除しても完全消失のおそれはないと判断できる。また、「記録済」と表示されているファイルについては、それが記録されている記録媒体への追記中の事故でデータ消失の可能性があるので、医用診断装置からは削除しない方が望ましいと判断できる。
【００８５】
ステップＳ７、Ｓ９に従えば、記録媒体に「十分な空き容量がない」と判定されるまで記録媒体に追記して編集禁止処理を施してから、当該記録媒体に記録したファイルのバックアップ情報を「記録済かつ編集禁止処理済」にする（ステップＳ１１参照）。従って、ステップＳ７で「十分な空き容量がない」と判定されるまで記録媒体に追記をすれば、記録媒体の記憶容量を有効活用できる。従って、ファイルのバックアップ情報が「記録済かつ編集禁止処理済」にならない限り、医用診断装置から当該ファイルを削除しないように管理すれば、ＤＶＤやＢＤ等の大容量の記録媒体の記録容量を活かしつつ、当該ファイルの完全消失を防止できる。
【００８６】
換言すれば、記録媒体に十分な空き容量があるか否かの判断基準よりも記憶残量が少なくなるタイミングが、その記録媒体に記録されているファイルのバックアップ情報が「記録済」から「記録済かつ編集禁止処理済」に移行するタイミングに相当すると共に、医用診断装置から当該ファイルを削除してもよいという判断の目途となるタイミングにも相当する。
【００８７】
また、ＭＲＩ装置２０（またはＸ線ＣＴ装置５０）は、記録媒体が装填された場合に、当該記録媒体に記録されているファイルと、内蔵型記憶装置３２（または６２）に保存中のファイルとを照合し、一致したファイルのバックアップ情報を更新する（ステップＳ２７、Ｓ２８、Ｓ３０、Ｓ３１参照）。さらに、画像表示装置８０やＭＲＩ装置２０が編集禁止処理を行った場合、その情報を医用診断装置ネットワーク１０における他の装置と共有させ、バックアップ情報を更新する（ステップＳ１１、Ｓ４４参照）。従って、当該記録媒体に対して他の装置において編集禁止処理が施されたような場合にも、バックアップ情報を最新のものにすることができる。また、編集禁止状態から編集可能状態に戻せる型式の記録媒体について、編集禁止または編集可能の状態が変化した場合にも、バックアップ情報を更新することができる（ステップＳ２９〜Ｓ３１参照）。
【００８８】
＜本実施形態の補足事項＞
本実施形態では、ファイル例として、主にＭＲＩ装置２０やＸ線ＣＴ装置５０により生成された診断画像データのファイルを対象に説明したが、本発明はかかる実施形態に限定されるものではない。本発明に係るバックアップ情報の管理方法は、他のデータに関するファイルについても適用可能である。また、データの保存および記録については、ファイル以外の形式であってもよい。
【００８９】
記録媒体は、ＣＤ、ＤＶＤ、ＢＤのように光で記録するものだけではなく、例えばフラッシュメモリのように電気的に記録するものや、或いは、磁気的に記録するものであってもよい。
【００９０】
バックアップ情報を「未記録」、「記録済」、「記録済かつ編集禁止処理済」の３段階にして管理する例を述べたが、本発明は、かかる実施形態に限定されるものではない。例えば、「未記録」、「記録済」、「記録済かつ完全編集禁止処理済」、「記録済かつ暫定編集禁止処理済」の４段階にしてもよい。ここでの「記録済かつ完全編集禁止処理済」は、編集禁止処理済の状態から編集可能状態に戻せない型式の記録媒体にファイルをアーカイブ後、その記録媒体に編集禁止処理を施した場合である。また、「記録済かつ暫定編集禁止処理済」は、編集禁止状態から編集可能状態に戻せる型式の記録媒体にファイルをアーカイブ後、その記録媒体に編集禁止処理を施した場合である。
【００９１】
最後に、請求項記載の用語と実施形態との対応関係を説明する。なお、以下に示す対応関係は、参考のために示した一解釈であり、本発明を限定するものではない。
【００９２】
ＭＲＩ装置２０およびＸ線ＣＴ装置５０はいずれも、請求項記載の医用検査データ保管装置の一例であると共に、請求項記載のファイル管理装置の一例でもある。  
診断画像データのファイルを保存する内蔵型記憶装置３２、６２は、請求項記載の保存部の一例である。  
ＣＰＵ（２２、５２）の制御に従って、診断画像データのファイルを記録媒体に記録する記録媒体用ドライブ（３４、６４）の機能は、請求項記載の記録部の一例である。
【００９３】
ＣＰＵ（２２、５２、８２）の制御に従って、記録媒体に編集禁止処理を施す記録媒体用ドライブ（３４、６４、９４）の機能は、請求項記載の編集禁止処理部の一例である。
【００９４】
バックアップ情報は、請求項記載の記録情報の一例である。  
一覧ファイルにおける各ファイルのバックアップ情報を「未記録」、「記録済」、「記録済かつ編集禁止処理済」のいずれかに更新して保存する内蔵型記憶装置（３２、６２）と、その動作を制御するＣＰＵ（２２、５２）の機能は、請求項記載の記録情報記憶部の一例である。
【００９６】
ＣＰＵ（２２、５２、８２）の制御に従って、記録媒体に編集禁止処理が施されているか否かを判定する記録媒体用ドライブ（３４、６４、９４）の機能は、請求項記載の判定部の一例である。
【００９７】
画像表示装置８０は、請求項記載の医用検査データ表示装置の一例である。  
モニタ８８は、請求項記載の表示部の一例である。  
記録媒体中のファイルと同一のファイルが保存されている医用診断装置に対し、当該記録媒体に編集禁止処理を施したことの情報を送信するＣＰＵ８２の機能は、請求項記載の情報送信部の一例である（ステップＳ４２参照）。
【符号の説明】
【００９８】
１０  医用診断装置ネットワーク
２０  ＭＲＩ装置
２２  ＣＰＵ
２４  入力装置
２６  ＭＲＩ撮影機構
２８  システムバス
３０  １次記憶メモリ
３２  内蔵型記憶装置
３４  記録媒体用ドライブ
３６  モニタ
３８  通信部
５０  Ｘ線ＣＴ装置
５２  ＣＰＵ
５４  入力装置
５６  Ｘ線ＣＴ撮影機構
５８  システムバス
６０  １次記憶メモリ
６２  内蔵型記憶装置
６４  記録媒体用ドライブ
６６  モニタ
６８  通信部
８０  画像表示装置
８２  ＣＰＵ
８４  入力装置
８６  通信部
８８  モニタ
９０  システムバス
９２  １次記憶メモリ
９４  記録媒体用ドライブ
１００  ネットワークケーブル
【図１】
0005502453.tif 000002
【図２】
0005502453.tif 000003
【図３】
0005502453.tif 000004
【図４】
0005502453.tif 000005